(57)【要約】【課題】  貯水槽自体に加湿機能を持たせることにより、加湿能力の増加を図るとともに、使い勝手を良好にする。【解決手段】  加湿装置において、ファン２の風路内に配設した貯水槽２２の内側壁に、該貯水槽２２に溜め込まれた水を保水して気化促進する保水手段を設けて、貯水槽２２の内側壁自体に加湿機能を保持させることにより、加湿能力を十分に確保し且つ貯水槽２２のみをお手入れするだけでよいようにしている。【選択図】        図４
2007285565.tif 000002
【特許請求の範囲】
【請求項１】
室内空気を吸い込む空気吸込口と加湿空気を吹き出す空気吹出口とを有する本体ケースと、該本体ケース内に配設したファンと、該ファンの風路内に配設した貯水槽と、該貯水槽に水を供給する水タンクとを備えた加湿装置であって、前記貯水槽の内側壁には、該貯水槽に溜め込まれた水を保水して気化促進する保水手段を設けたことを特徴とする加湿装置。
【請求項２】
室内空気を吸い込む空気吸込口と加湿空気を吹き出す空気吹出口とを有する本体ケースと、該本体ケース内に配設したファンと、該ファンの風路内に配設した貯水槽と、該貯水槽に水を供給する水タンクとを備えた加湿装置であって、前記貯水槽の内側壁には、該貯水槽に溜め込まれた水の気化を促進する凹凸加工を施したことを特徴とする加湿装置。
【請求項３】
室内空気を吸い込む空気吸込口と加湿空気を吹き出す空気吹出口とを有する本体ケースと、該本体ケース内に配設したファンと、該ファンの風路内に配設した貯水槽と、該貯水槽に水を供給する水タンクとを備えた加湿装置であって、前記貯水槽の内側壁には、該貯水槽に溜め込まれた水を吸水して気化促進する吸水手段を設けたことを特徴とする加湿装置。
【請求項４】
前記貯水槽内には、複数の加湿プレートを相互に所定の間隔を保持した状態で積層してなる回転加湿フィルタを回転自在に枢支したことを特徴とする請求項１ないし３のいずれか一項記載の加湿装置。
【発明の詳細な説明】
【技術分野】
【０００１】
本願発明は、気化式の加湿装置に関するものである。
【背景技術】
【０００２】
近年、冬季において暖房装置使用中の室内を適湿環境に保持するために加湿装置が使用されている。
【０００３】
この種の加湿装置として、貯水槽内に立設した吸水性の良いシート状の素材をプリーツ折りした横長方形の加湿フィルタを備えたものが従来から知られている（特許文献１参照）。
【０００４】
【特許文献１】特開２００４−３４７２７９号公報。
【発明の開示】
【発明が解決しようとする課題】
【０００５】
ところが、上記特許文献１に開示されている加湿装置の場合、加湿フィルターを通過する空気による水の蒸発気化によって加湿が行われることとなっているため、加湿能力に限界がある。また、加湿フィルターの交換等の手間がかかり、使い勝手がよくないという不具合があった。
【０００６】
本願発明は、上記の点に鑑みてなされたもので、貯水槽自体に加湿機能を持たせることにより、加湿能力の増加を図るとともに、使い勝手を良好にすることを目的とするものである。
【課題を解決するための手段】
【０００７】
本願発明では、上記課題を解決するための第１の手段として、室内空気を吸い込む空気吸込口と加湿空気を吹き出す空気吹出口とを有する本体ケースと、該本体ケース内に配設したファンと、該ファンの風路内に配設した貯水槽と、該貯水槽に水を供給する水タンクとを備えた加湿装置において、前記貯水槽の内側壁に、該貯水槽に溜め込まれた水を保水して気化促進する保水手段を設けている。
【０００８】
上記のように構成したことにより、貯水槽の内側壁に設けられた保水手段によりファンからの風への加湿が行われることとなり、加湿能力を十分に確保できるとともに、貯水槽のみをお手入れするだけでよいこととなり、使い勝手が良いものとなる。
【０００９】
本願発明では、上記課題を解決するための第２の手段として、室内空気を吸い込む空気吸込口と加湿空気を吹き出す空気吹出口とを有する本体ケースと、該本体ケース内に配設したファンと、該ファンの風路内に配設した貯水槽と、該貯水槽に水を供給する水タンクとを備えた加湿装置において、前記貯水槽の内側壁に、該貯水槽に溜め込まれた水の気化を促進する凹凸加工を施している。
【００１０】
上記のように構成したことにより、貯水槽の内側壁に施された凹凸加工によりファンからの風への加湿が行われることとなり、加湿能力を十分に確保できるとともに、貯水槽のみをお手入れするだけでよいこととなり、使い勝手が良いものとなる。
【００１１】
本願発明では、上記課題を解決するための第３の手段として、室内空気を吸い込む空気吸込口と加湿空気を吹き出す空気吹出口とを有する本体ケースと、該本体ケース内に配設したファンと、該ファンの風路内に配設した貯水槽と、該貯水槽に水を供給する水タンクとを備えた加湿装置において、前記貯水槽の内側壁に、該貯水槽に溜め込まれた水を吸水して気化促進する吸水手段を設けている。
【００１２】
上記のように構成したことにより、貯水槽の内側壁に設けられた吸水手段によりファンからの風への加湿が行われることとなり、加湿能力を十分に確保できるとともに、貯水槽のみをお手入れするだけでよいこととなり、使い勝手が良いものとなる。
【００１３】
本願発明では、さらに、上記課題を解決するための第４の手段として、上記第１、第２又は第３の手段を備えた加湿装置において、前記貯水槽内に、複数の加湿プレートを相互に所定の間隔を保持した状態で積層してなる回転加湿フィルタを回転自在に枢支することもでき、そのように構成した場合、回転加湿フィルタによる加湿を行うことができ、加湿能力を最大とすることができる。
【発明の効果】
【００１４】
本願発明の第１の手段によれば、室内空気を吸い込む空気吸込口と加湿空気を吹き出す空気吹出口とを有する本体ケースと、該本体ケース内に配設したファンと、該ファンの風路内に配設した貯水槽と、該貯水槽に水を供給する水タンクとを備えた加湿装置において、前記貯水槽の内側壁に、該貯水槽に溜め込まれた水を保水して気化促進する保水手段を設けたので、貯水槽の内側壁に設けられた保水手段によりファンからの風への加湿が行われることとなり、加湿能力を十分に確保できるという効果がある。しかも、貯水槽のみをお手入れするだけでよいこととなり、使い勝手が良いものとなるという効果もある。
【００１５】
本願発明の第２の手段によれば、室内空気を吸い込む空気吸込口と加湿空気を吹き出す空気吹出口とを有する本体ケースと、該本体ケース内に配設したファンと、該ファンの風路内に配設した貯水槽と、該貯水槽に水を供給する水タンクとを備えた加湿装置において、前記貯水槽の内側壁に、該貯水槽に溜め込まれた水の気化を促進する凹凸加工を施したので、貯水槽の内側壁に施された凹凸加工によりファンからの風への加湿が行われることとなり、加湿能力を十分に確保できるという効果がある。しかも、貯水槽のみをお手入れするだけでよいこととなり、使い勝手が良いものとなるという効果もある。
【００１６】
本願発明の第３の手段によれば、室内空気を吸い込む空気吸込口と加湿空気を吹き出す空気吹出口とを有する本体ケースと、該本体ケース内に配設したファンと、該ファンの風路内に配設した貯水槽と、該貯水槽に水を供給する水タンクとを備えた加湿装置において、前記貯水槽の内側壁に、該貯水槽に溜め込まれた水を吸水して気化促進する吸水手段を設けているので、貯水槽の内側壁に設けられた吸水手段によりファンからの風への加湿が行われることとなり、加湿能力を十分に確保できるという効果がある。しかも、貯水槽のみをお手入れするだけでよいこととなり、使い勝手が良いものとなるという効果もある。
【００１７】
本願発明の第４の手段におけるように、上記第１、第２又は第３の手段を備えた加湿装置において、前記貯水槽内に、複数の加湿プレートを相互に所定の間隔を保持した状態で積層してなる回転加湿フィルタを回転自在に枢支することもでき、そのように構成した場合、回転加湿フィルタによる加湿を行うことができ、加湿能力を最大とすることができる。
【発明を実施するための最良の形態】
【００１８】
以下、添付の図面を参照して、本願発明の幾つかの好適な実施の形態について詳述する。
【００１９】
まず、本願発明の各実施の形態が適用される加湿装置の構造について説明する。
【００２０】
この加湿装置は、図１ないし図４に示すように、室内空気Ｗ1を吸い込む空気吸込口５と加湿空気Ｗ2を吹き出す空気吹出口６とを有する本体ケース１と、該本体ケース１内に配設したファン２と、該ファン２の風路内に配設した気化式加湿エレメント３と、該気化式加湿エレメント３に水を供給する水タンク４とを備えて構成されている。
【００２１】
前記空気吸込口５は、前記本体ケース１における背面の上部に形成されており、前記空気吹出口６は、前記本体ケース１の上面一側に形成されている。
【００２２】
前記ファン２は、前記空気吸込口５の前方側に配設されており、前記空気吸込口５と対向する吸気口９と下向きとされた吐出口１０とを有するスクロール形状のファンカバー７と該ファンカバー７内に配設された前進翼形状の羽根車８とにより構成されている。符号１１は前記羽根車８を回転駆動させるファンモータであり、該ファンモータ１１は、前記空気吸込口５からファンカバー７の吸気口９との間に後述する加湿空気通路４３と隔壁１３により区画形成された吸気通路１２内にあって前記ファンカバー７に取り付けられている。
【００２３】
前記ファン２におけるファンカバー７の吐出口１０の下方には、該ファン２から吹き出される室内空気Ｗ1を加熱するための加熱源として作用するヒータユニット１４が配設されている。該ヒータユニット１４は、図５に示すように、矩形形状の箱型のヒータケース１５と、該ヒータケース１５内に設けた直交桟１６に対して略菱形形状に複数層が重合するように巻き付けられ電熱線１７とによって構成されており、前記ヒータケース１５の底面には、多数の空気流通穴１８，１８・・が形成されている（図４参照）。符号１９はファン２から吹き出される室内空気Ｗ1をヒータケース１５内に誘導する作用と前記室内空気Ｗ1がヒータユニット１４をバイパスするのを防止するためのリブである。このようにすると、ファン２から吹き出された室内空気Ｗ1と電熱線１７との接触効率が向上し、効率的な加熱を行うことができる。
【００２４】
前記ヒータユニット１４の背面側には、ファン２から吹き出される室内空気Ｗ1の一部がバイパスするバイパス通路２０が設けられており、該バイパス通路２０には、室温検知用とヒータケース１５の過昇温検知用とに供される温度センサー２１が設けられている。このようにすると、室温検知と過昇温検知とを一つのセンサーで行うことができることとなり、構造簡略化を図ることができる。
【００２５】
前記気化式加湿エレメント３は、前記ヒータユニット１４の下方位置であって前記ファン２の風路内に位置して配設されており、前記水タンク４から供給される水を貯留するとともに前記本体ケース１に対して前記空気吹出口６の反対側から引き出し自在とされた貯水槽２２と該貯水槽２２内に回転自在に枢支される回転加湿フィルタ２３とによって構成されている。
【００２６】
前記回転加湿フィルタ２３は、駆動源であるフィルタモータ２６に減速機構２７を介して連結された回転軸２４と、該回転軸２４に対して分解可能に枢支され且つ相互に所定の間隔を保持した状態で積層された多数の合成樹脂製（例えば、プロピロピレン製）の加湿プレート２５，２５・・とにより構成されている。なお、前記加湿プレート２５は、合成樹脂製のものに限定されず、金属等からなるものであってもよい。前記減速機構２７は、フィルタモータ２６により回転駆動される主動側ギヤ（即ち、小径ギヤ）２７ａと該主動側ギヤ２７ａと噛合する従動側ギヤ２７ｂとからなっている。このようにすると、回転加湿フィルタ２３を、回転軸２４と多数の加湿プレート２５，２５・・とに分解することが可能となり、お手入れを簡単に行うことができる。
【００２７】
前記各加湿プレート２５における回転軸方向と直交する表裏両面には、図６に示すように、その外周縁２５ａよりも窪んだ多数の凹部２８，２８・・が隣接する凹部２８，２８・・と六角形形状の凹部形成壁２９，２９・・を共有する構造で設けられている。これらの凹部２８，２８・・は、加湿プレート２５の表裏両面に対してバレル研磨を施すことにより形成されるが、他の方法によって形成する場合もある。なお、前記各凹部形成壁２９は、六角形形状に限定されず、隣接する凹部２８，２８・・で共有する構造のものであれば、形状は自由に選択することができる。このようにすると、各加湿プレート２５の一部が貯留水に浸漬したとき、多数の凹部２８，２８・・に貯留水が保持された状態で回転せしめられることとなり、加湿プレート２５の保水性が向上し、加湿効率が向上するし、加湿プレート２５に凹部形成壁２９，２９・・を形成するだけで、多数の凹部２８，２８・・を簡単に形成できる。
【００２８】
また、前記各加湿プレート２５における外周縁２５ａの表裏両面には、加湿プレート２５，２５・・相互間に風路を確保し得るように加湿プレート２５，２５・・の積層状態において互いに相接する４個の突部３０，３０・・が周方向等間隔で一体に突設されている。該突部３０，３０・・の個数は任意であるが、加湿プレート２５，２５・・の外周縁２５ａ，２５ａ・・相互間に空気の流通を確保するためには、４個程度が望ましい。
【００２９】
また、前記各加湿プレート２５の軸心には、前記突部３０，３０・・の高さと同高の４個の軸受部３１が設けられており、該軸受部３１の内周側には、４個の係合凹部３２，３２・・が形成されることとなっている（図７参照）。このようにすると、加湿プレート２５，２５・・は、外周縁部に位置する突部３０，３０・・と軸心部に位置する軸受部３１とによって互いに当接状態を保持されることとなり、回転駆動時にガタ付きが生ずるということがなくなる。
【００３０】
さらに、前記各加湿プレート２５の外周寄り位置には、複数（例えば、４個）の貫通穴３３，３３・・が同心円上に等間隔で形成されている。この貫通穴３３，３３・・は、加湿プレート２５，２５・・相互間に形成される風路を空気流が流通する際に加湿プレート２５の表裏両面から空気流が貫流する作用を有している。なお、この貫通穴３３，３３・・は、加湿プレート２５の表面積（即ち、保水性を有する表面積）があまり小さくならない程度の穴径と個数とするのが望ましい。また、この貫通穴３３，３３・・は、必ずしも同心円上に等間隔で形成する必要はなく、ランダムな位置に形成してもよいが、本実施の形態におけるように、各加湿プレート２５の外周寄り位置において同心円上に等間隔で形成するのが、加湿プレート２５の表裏両面からの空気流の貫流をスムーズに生じさせることができる点で好ましい。
【００３１】
一方、前記回転軸２４には、図８に示すように、一端側に前記減速機構２７を構成する従動側ギヤ（即ち、大径ギヤ）２７ｂを固定（例えば、ビス止め）する駆動軸２４ａが形成されている。また、前記回転軸２４の外周には、前記プレート２５の軸受部３１の内周面に形成された係合凹部３２，３２・・に嵌挿するための軸方向に延びる４個の突条３６，３６・・  が形成されている。このようにすると、回転加湿フィルタ２３の回転駆動時に加湿プレート２５，２５・・が回転軸２４に対して空回りすることがなくなる。なお、前記加湿プレート２５，２５・・は、回転軸２４から突条３６，３６・・に沿って抜き出すことが可能となっている。
【００３２】
そして、前記回転加湿フィルタ２３の回転軸２４における駆動軸２４ａは、前記貯水槽２２において前記空気吹出口６の下方に位置する部分（即ち、貯水槽２２の引き出し方向に関して反対側）に設けられている。つまり、前記回転軸２４の一端（即ち、駆動軸２４ａ側端部）は、前記貯水槽２２における引き出し方奥側の側壁２２ａに形成された上部が開放された切欠形状の軸受３７（図４参照）に対して回動自在に枢支される一方、前記回転軸２４の他端（即ち、反駆動軸側端部）は、前記貯水槽２２における引き出し方向手前側の側壁２２ｂの内面に形成されたＵ字状の溝３８（図２参照）に対して回動自在に枢支されているのである。このようにすると、気化式加湿エレメント３を駆動源であるフィルタモータ２６から分離して本体ケース１から容易に取り外すことができるとともに、貯水槽２２から回転加湿フィルタ２３を容易に離脱させることもできる。
【００３３】
ところで、前記貯水槽２２において前記ヒータユニット１４の下方に位置する底部２２ｃ（換言すれば、空気流の入口側）は、空気流の出口側の底部２２ｄより低く（即ち、貯水槽２２に貯留される貯留水の水位Ｌより低く）されている。なお、空気流の出口側の底部２２ｂは、貯水槽２２に貯留される貯留水の水位Ｌより高くされている（図４参照）。このようにすると、ヒータユニット１４の下方に位置する底部２２ｃに貯留水の溜まりができるところから、ヒータユニット１４を通過して温度上昇せしめられた空気流Ｗ1が貯留水溜まりにおける蒸発を促進することとなり、加湿効率が向上することとなる。
【００３４】
前記貯水槽２２の引き出し方向側には、前記水タンク４が着脱自在にセットされるとともに該水タンク４から出る水を一時的に貯留する貯水部３９が一体に設けられている。前記水タンク４は、前記貯水部３９に対して倒立状態でセットされることとなっており、水タンク４の給水口４ａには、水タンク４の前記貯水部３９へのセット時にのみ開弁する開閉弁４０が設けられている。符号４１は貯水部３９内に配置された水タンク４が空になったことを検知するためのフロートスイッチである。このようにすると、本体ケース１に対して気化式加湿エレメント３と水タンク４とが一体的に引き出し可能となるのである。
【００３５】
また、この貯水部３９と前記貯水槽２２とは、該貯水槽２２の引き出し方向手前側の側壁２２ｂには、貯水部３９と貯水槽２２とを連通させる連通穴４２が形成されている。従って、貯水部３９内と貯水槽２２内とは、同一の水位Ｌとされることとなっている。該水位Ｌは、前記回転加湿フィルタ２３における各プレート２５に設けられた貫通穴３３，３３・・のうち下端に位置する貫通穴３３の上端が浸漬される程度とされる（図４参照）。つまり、前記回転加湿フィルタ２３の一部は、前記貯水槽２２内の貯留水に浸漬されており、前記ファン２から吹き出される室内空気Ｗ1の流れの中心は、前記回転加湿フィルタ２３の回転中心より外周側を通過するように構成されているのである。このようにすると、各加湿プレート２５における軸心の周りにできるだけ大きな平面部が形成されることとなり、室内空気Ｗ1の流れがスムーズになる。
【００３６】
さらに、前記回転加湿フィルタ２３の回転方向Ｍは、前記ファン２から吹き出される室内空気Ｗ1を迎える方向とされている。このようにすると、ファン２から吹き出される室内空気Ｗ1が、貯水槽２２の貯留水にから出た直後の回転加湿フィルタ２３に接触することとなり、室内空気Ｗ1への加湿効率が向上するし、回転加湿フィルタ２３における圧力損失をできるだけ小さくすることもできる（ファン２から吹き出される室内空気Ｗ1が空気吹出口６側へかき出される）。
【００３７】
さらに、前記ファンカバー７と前記本体ケース１との間には、前記空気吹出口６へ通ずる加湿空気通路４３が形成されている。
【００３８】
図面中、符号４４はファン２の吐出口１０と本体ケース１の外側とをシールするシール用リブ、４５はファン２から吹き出された室内空気Ｗ1と回転加湿フィルタ２３を通過して加湿された加湿空気Ｗ2との流路をシールするシール用リブ、４６は本体ケース１の上面に設けられた操作パネルである。
【００３９】
上記のように構成された加湿装置においては、次のような作用効果が得られる。
【００４０】
まず、水タンク４を貯水部３９にセットした後、ファンモータ１１およびフィルタモータ２６を駆動させて、ファン２を駆動させ且つ回転加湿フィルタ２３を低速回転させるとともに、電熱線１７へ通電してヒータユニット１４を作動させる。すると、本体ケース１の空気吸込口５から吸い込まれた室内空気Ｗ1は、ファン２の吐出口１０から吹き出される。この室内空気Ｗ1は、ヒータユニット１４を通過する過程で適当な温度に加熱された後、回転加湿フィルタ２３の回転中心より外周側へ供給される。
【００４１】
一方、低速回転されている回転加湿フィルタ２３の各加湿プレート２５の一部は、貯水槽２２内の貯留水に浸漬され、前述したように、回転により貯留水から露出している部分も水に濡れている。
【００４２】
この状態の回転加湿フィルタ２３の回転中心より外周側をファン２から吹き出された室内空気Ｗ1が通過する過程において加湿がなされるが、加湿プレート２５に形成された複数個の貫通穴３３，３３・・を介して加湿プレート２５の表裏両面から空気流が貫流する。その結果、回転加湿フィルタ２３を駆動させるための動力を低減できるとともに、加湿能力を最大限に発揮することができる。しかも、加湿プレート２５の表裏両面に形成された多数の凹部２８，２８・・に貯留水が保持された状態で回転せしめられることとなっているため、加湿プレート２５の保水性が向上し、加湿効率が向上する
また、ファン２から吹き出される室内空気Ｗ1がヒータユニット１４によって適当な温度に加熱された後に回転加湿フィルタ２３へ供給されることとなっているので、回転加湿フィルタ２３に付着した水の蒸発が促進され、加湿効率が向上する。
【００４３】
上記のようにして得られた加湿空気Ｗ2は、回転加湿フィルタ２３の軸方向に流れ、ファンカバー７と本体ケース１との間に形成された加湿空気通路４３を通って空気吹出口６から室内へ吹き出され、室内を適湿環境に保持する。従って、本体ケース１内における空気の流れ全体をスムーズなものとすることができる。
【００４４】
第１の実施の形態
図９および図１０には、本願発明の第１の実施の形態にかかる加湿装置における貯水槽が示されている。
【００４５】
この貯水槽２２の一端側（即ち、水タンク４側）には、水タンク４からの水を一時的に貯溜するための貯水部３９が一体に形成されている。そして、この貯水槽２２には、保水手段として作用する親水性処理が施されている。本実施の形態においては、前記貯水槽２２および貯水部３９は、親水性樹脂で一体成形されている。ここで、親水性樹脂とは、プラスチックに親水性を付与したものであり、表面の水滴を乾き易くしたものである（この場合、水滴は一般のＡＢＳ系材料の半分の時間で乾く）。このようにすると、貯水槽２２を保水手段として作用する親水性樹脂により成形したことによりファン２からの風への加湿が行われることとなり、加湿能力を十分に確保することができる。この場合、ファン２からの風は、貯水槽２２の内側面に直接ものと、水面に当たった後に内側面に当たるものとが存在するようにするのが望ましい。また、水面に風を当てると、水面に波が生じるところから、内側面が湿り易くなる。なお、前記貯水槽２２の内側面のみに親水性処理を施す場合もある。
【００４６】
第２の実施の形態
図１１には、本願発明の第２の実施の形態にかかる加湿装置における貯水槽が示されている。
【００４７】
この場合、貯水槽２２の内側壁には、該貯水槽２２に溜め込まれた水の気化を促進する凹凸加工Ｋが施されている。該凹凸加工Ｋは、図１２（イ）に示すように、ブラスト処理により行っても良く、図１２（ロ）に示すように、バレル研磨により行っても良い。この場合、凹凸加工Ｋは、貯水槽２２の水位Ｌより下方から上方にかけて施すのが望ましい。このようにすると、貯水槽２２の内側壁に施された凹凸加工Ｋによりファン２からの風への加湿が行われることとなり、加湿能力を十分に確保することができる。この場合、ファン２からの風は、貯水槽２２の内側面に直接ものと、水面に当たった後に内側面に当たるものとが存在するようにするのが望ましい。また、水面に風を当てると、水面に波が生じるところから、内側面が湿り易くなる。なお、表面粗さ（換言すれば、加湿量）から言えば、ブラスト処理の方が有利であるが、後の洗浄等に手間がかかる。また、本実施の形態の貯水槽２２を、親水性樹脂で一体成形すると、さらに加湿能力が向上する。
【００４８】
第３の実施の形態
図１３には、本願発明の第３の実施の形態にかかる加湿装置における貯水槽が示されている。
【００４９】
この場合、貯水槽２２の内側面には、該貯水槽２２に溜め込まれた水を吸水して気化促進する吸水手段Ｊが設けられている。このようにすると、貯水槽２２の内側壁に設けられた吸水手段Ｊによりファン２からの風への加湿が行われることとなり、加湿能力を十分に確保することができる。この場合、ファン２からの風は、貯水槽２２の内側面に直接ものと、水面に当たった後に内側面に当たるものとが存在するようにするのが望ましい。また、水面に風を当てると、水面に波が生じるところから、内側面が湿り易くなる。該吸水手段Ｊとしては、毛細管現象に優れた部材（例えば、フェルト）を採用するのが望ましく、この場合においても、吸水手段Ｊは、貯水槽２２の水位Ｌより下方から上方にかけて設けるのが望ましい。
【００５０】
第４の実施の形態
図１４には、本願発明の第４の実施の形態にかかる加湿装置における貯水槽が示されている。
【００５１】
この場合、貯水槽２２の内側面には、該貯水槽２２に溜め込まれた水を保水して気化促進する保水手段として作用する多数のリブ４７，４７・・が一体に形成されている。このようにすると、貯水槽２２を保水手段として作用するリブ４７，４７・・によりファン２からの風への加湿が行われることとなり、加湿能力を十分に確保することができる。この場合、ファン２からの風は、貯水槽２２の内側面に直接ものと、水面に当たった後に内側面に当たるものとが存在するようにするのが望ましい。また、水面に風を当てると、水面に波が生じるところから、内側面が湿り易くなる。また、本実施の形態の貯水槽２２を、親水性樹脂で一体成形すると、さらに加湿能力が向上する。
【００５２】
ところで、上記各実施の形態においては、貯水槽２２内に回転加湿フイルタ２３を回転自在に枢支しているが、貯水槽２２自体の加湿能力によっては、回転加湿フイルタを用いない場合もある。このようにすると、貯水槽２２のみをお手入れするだけでよいこととなり、使い勝手が良いものとなる。
【００５３】
本願発明は、上記各実施の形態に限定されるものではなく、発明の要旨を逸脱しない範囲において適宜設計変更可能なことは勿論である。
【図面の簡単な説明】
【００５４】
【図１】本願発明の実施の形態にかかる加湿装置の斜視図である。
【図２】本願発明の実施の形態にかかる加湿装置の縦断正面図である。
【図３】本願発明の実施の形態にかかる加湿装置の水タンク部分を省略した縦断背面図である。
【図４】本願発明の実施の形態にかかる加湿装置の縦断側面図である。
【図５】本願発明の実施の形態にかかる加湿装置におけるヒータユニットの拡大斜視図である。
【図６】本願発明の実施の形態にかかる加湿装置における回転加湿フィルタ構成する加湿プレートの拡大正面図である。
【図７】図６のＶＩＩ−ＶＩＩ断面図である。
【図８】本願発明の実施の形態にかかる加湿装置における回転加湿フィルタを構成する回転軸の拡大斜視図である。
【図９】本願発明の第１の実施の形態にかかる加湿装置における貯水槽の平面図である。
【図１０】本願発明の第１の実施の形態にかかる加湿装置における貯水槽の断面図（Ｘ−Ｘ断面図）である。
【図１１】本願発明の第２の実施の形態にかかる加湿装置における貯水槽の断面図である。
【図１２】本願発明の第２の実施の形態にかかる加湿装置における貯水槽の内側面を示す拡大図であり、（イ）はブラスト処理の例を示し、（ロ）はバレル研磨の例を示す。
【図１３】本願発明の第３の実施の形態にかかる加湿装置における貯水槽の断面図である。
【図１４】本願発明の第４の実施の形態にかかる加湿装置における貯水槽の断面図である。
【符号の説明】
【００５５】
１は本体ケース
２はファン
３は気化式加湿エレメント
４は水タンク
５は空気吸込口
６は空気吹出口
２２は貯水槽
２３は回転加湿フィルタ
２５は加湿プレート
２６は駆動源（フィルタモータ）
Ｋは凹凸加工
Ｊは吸水手段（フェルト）
Ｗ1は室内空気
Ｗ2は加湿空気
【図１】
2007285565.tif 000003
【図２】
2007285565.tif 000004
【図３】
2007285565.tif 000005
【図４】
2007285565.tif 000006
【図５】
2007285565.tif 000007
【図６】
2007285565.tif 000008
【図７】
2007285565.tif 000009
【図８】
2007285565.tif 000010
【図９】
2007285565.tif 000011
【図１０】
2007285565.tif 000012
【図１１】
2007285565.tif 000013
【図１２】
2007285565.tif 000014
【図１３】
2007285565.tif 000015
【図１４】
2007285565.tif 000016